(57)【要約】      （修正有）【課題】テレビジョン装置をＰＣに接続する際に、画面遷移の抑止による安全性の確保と操作負担の軽減を図る表示制御装置及び表示制御方法を提供する。【解決手段】表示装置は、表示制御手段と、受信手段と、登録手段と、を備える。表示制御手段は、放送番組の映像を表示画面に表示させる。受信手段は、外部装置から暗証情報を受信する。登録手段は、受信されたた暗証情報を送信した外部装置を登録する。受信手段は、登録された外部装置から送信された接続要求を受信すると、外部装置から画面情報を受信する。表示制御手段は、放送番組の表示中に接続要求が受信されると、接続要求が登録された外部装置から送信されていた場合、受信された画面情報を表示画面に表示させ、接続要求が登録された外部装置からの送信でない場合、放送番組の映像の表示を継続する。【選択図】図２
2014003614.tif 000002
【特許請求の範囲】
【請求項１】
放送番組の映像を表示画面に表示させる表示制御手段と、
外部装置から暗証情報を受信する受信手段と、
受信された前記暗証情報を送信した前記外部装置を登録する登録手段と、
を備え、
前記受信手段は、登録された前記外部装置から送信された接続要求を受信すると、前記外部装置から画面情報を受信し、
前記表示制御手段は、前記放送番組の表示中に前記接続要求が受信されると、前記接続要求が前記登録された前記外部装置から送信されていた場合、受信された前記画面情報を前記表示画面に表示させ、前記接続要求が前記登録された外部装置からの送信でない場合、前記放送番組の映像の表示を継続する、表示制御装置。
【請求項２】
操作を受け付ける受付手段を更に備え、
前記表示制御手段は、前記受付手段が前記操作を受け付けた後に、前記暗証情報を前記表示画面に表示させ、
前記受信手段は、前記暗証情報が表示された後、前記暗証情報が入力された前記外部機器から前記暗証情報を受信する、請求項１に記載の表示制御装置。
【請求項３】
放送番組の映像を表示画面に表示させる第１の表示制御手段と、
外部装置と接続を行うための待機状態に移行させる操作を受け付ける受付手段と、
前記受付手段が前記移行させる操作を受け付けた場合、自装置を識別する自装置識別情報を前記表示画面に表示させる第２の表示制御手段と、
前記自装置識別情報が表示されている間に、表示された当該自装置識別情報を取得した前記外部装置から、当該自装置識別情報で識別される自装置宛に送信された第１の接続要求を受信する第１の受信手段と、
前記自装置識別情報が表示されている間に前記第１の接続要求が受信された場合に、暗証情報を前記表示画面に表示させる第３の表示制御手段と、
前記暗証情報が表示された後、前記暗証情報が入力処理された前記外部装置から前記暗証情報と、画面情報と、前記外部装置を識別する外部装置識別情報と、を受信する第２の受信手段と、
表示された前記暗証情報を受信した場合に、当該暗証情報を送信した前記外部装置から受信した前記画面情報を前記表示画面に表示させる第４の表示制御手段と、
受信した前記外部装置識別情報を記憶する記憶手段と、を備え、
前記第１の受信手段は、さらに、前記表示画面に前記放送番組の映像が表示され、且つ前記自装置識別情報が表示されていない場合、前記外部装置から第２の接続要求を受信し、
前記第２の受信手段は、さらに、受信された前記第２の接続要求が、前記記憶手段に記憶された前記外部装置識別情報で識別される前記外部装置から送信されている場合、前記外部装置から前記画面情報を受信し、
前記第４の表示制御手段は、さらに、受信された前記第２の接続要求が前記記憶手段に記憶された前記外部装置識別情報で識別される外部装置から送信されている場合、受信した前記画面情報を前記表示画面に表示させ、受信された前記第２の接続要求が前記記憶手段に記憶された前記外部装置識別情報で識別される外部装置からの送信でない場合、前記放送番組の映像の表示を継続する、
表示制御装置。
【請求項４】
前記第２の表示制御手段は、前記受付手段の操作の受け付けで前記自装置識別情報の表示を開始した後、所定の時間が経過した場合に、前記第１の表示制御手段による放送番組の映像の表示に移行させること、
を特徴とする請求項３にかかる表示制御装置。
【請求項５】
前記表示画面を有する表示手段をさらに備える、請求項１乃至４のいずれか１つにかかる表示制御装置。
【請求項６】
表示制御手段が、放送番組の映像を表示画面に表示させる第１の表示制御ステップと、
受信手段が、外部装置から、暗証情報を受信する第１の受信ステップと、
登録手段が、受信された前記暗証情報を送信した前記外部装置を登録する登録ステップと、
受信手段が、登録された前記外部装置から送信された接続要求を受信すると、前記外部装置から画面情報を受信する第２の受信ステップと、
表示制御手段が、前記放送番組の表示中に前記接続要求が受信されると、前記接続要求が前記登録された前記外部装置から送信されていた場合、受信された前記画面情報を前記表示画面に表示させ、前記接続要求が前記登録された外部装置からの送信でない場合、前記放送番組の映像の表示を継続する第２の表示制御ステップと、
を有する表示制御方法。
【請求項７】
受付手段が、操作を受け付ける受付ステップをさらに備え、
前記第１の表示制御ステップは、前記受付ステップが前記操作を受け付けた後に、前記暗証情報を前記表示画面に表示させ、
前記第１の受信ステップは、前記暗証情報が表示された後、前記暗証情報が入力された前記外部機器から前記暗証情報を受信する、
請求項６に記載の表示制御方法。
【請求項８】
テレビジョン装置で実行される表示制御方法であって、
第１の表示制御手段が、放送番組の映像を表示画面に表示させる第１の表示制御ステップと、
受付手段が、外部装置と接続を行うための待機状態に移行させる操作を受け付ける受付ステップと、
第２の表示制御手段が、前記受付ステップが前記移行させる操作を受け付けた場合、自装置を識別する自装置識別情報を前記表示画面に表示させる第２の表示制御ステップと、
第１の受信手段が、前記自装置識別情報が表示されている間に、表示された当該自装置識別情報を取得した前記外部装置から、当該自装置識別情報で識別される自装置宛に送信された第１の接続要求を受信する第１の受信ステップと、
第３の表示制御手段が、前記自装置識別情報が表示されている間に前記第１の接続要求が受信された場合に、暗証情報を前記表示画面に表示させる第３の表示制御ステップと、
第２の受信手段が、前記暗証情報が表示された後、前記暗証情報が入力処理された前記外部装置から前記暗証情報と、画面情報と、前記外部装置を識別する外部装置識別情報と、を受信する第２の受信ステップと、
第４の表示制御手段が、表示された前記暗証情報を受信した場合に、当該暗証情報を送信した前記外部装置から受信した前記画面情報を前記表示画面に表示させる第４の表示制御ステップと、
受信した前記外部装置識別情報を記憶手段に記憶する記憶ステップと、を有し、
前記第１の受信ステップは、さらに、前記表示画面に前記放送番組の映像が表示され、且つ前記自装置識別情報が表示されていない場合、前記外部装置から第２の接続要求を受信し、
前記第２の受信ステップは、さらに、受信された前記第２の接続要求が、前記記憶手段に記憶された前記外部装置識別情報で識別される前記外部装置から送信されている場合、
前記外部装置から前記画面情報を受信し、
前記第４の表示制御ステップは、さらに、受信された前記第２の接続要求が前記記憶手段に記憶された前記外部装置識別情報で識別される外部装置から送信されている場合、受信した前記画面情報を前記表示画面に表示させ、受信された前記第２の接続要求が前記記憶手段に記憶された前記外部装置識別情報で識別される外部装置からの送信でない場合、前記放送番組の映像の表示を継続する、
表示制御方法。
【請求項９】
前記第２の表示制御ステップは、前記受付ステップによる操作の受け付けで前記自装置識別情報の表示を開始した後、所定の時間が経過した場合に、前記第１の表示制御ステップによる放送番組の映像の表示に移行させること、
を特徴とする請求項８にかかる表示制御方法。
【発明の詳細な説明】
【技術分野】
【０００１】
本発明の実施の形態は、表示制御装置、及び表示制御方法に関する。
【背景技術】
【０００２】
従来から、無線通信を介して、ＰＣ間で一方のＰＣの表示画面を、他方のＰＣ上で表示する技術が提案されている。
【０００３】
近年、テレビジョン装置の表示画面の高解像度化、及び内部処理部の高性能化する傾向がある。これにより、無線通信を介して、ＰＣの表示画面を、テレビジョン装置に表示する技術が提案されている。
【先行技術文献】
【特許文献】
【０００４】
【特許文献１】特開２０１０−２１８０２号公報
【発明の概要】
【発明が解決しようとする課題】
【０００５】
しかしながら、従来技術においては、接続先となるテレビジョン装置が複数ある場合に、ユーザは複数の中から、接続先として所望するテレビジョン装置を選択する必要がある。そして、ＰＣ側で、テレビジョン装置を選択するだけで、テレビジョン装置とＰＣとを接続可能とする場合、所望するテレビジョン装置以外を誤って選択することも考えられる。
【０００６】
このような誤った選択を抑止するために、接続先としたいテレビジョン装置に対して接続の待機状態にした場合に限り、ＰＣの接続を受け付ける技術がある。この場合、テレビジョン装置をＰＣと接続する際に、必ず待機状態にする必要があり、操作負担が大きい。
【０００７】
本発明は、上記に鑑みてなされたものであって、操作負担を軽減する表示制御装置、及び表示制御方法を提供することを目的とする。
【課題を解決するための手段】
【０００８】
実施の形態の表示装置は、表示制御手段と、受信手段と、登録手段と、を備える。表示制御手段は、放送番組の映像を表示画面に表示させる。受信手段は、外部装置から暗証情報を受信する。登録手段は、受信されたた暗証情報を送信した外部装置を登録する。受信手段は、登録された外部装置から送信された接続要求を受信すると、外部装置から画面情報を受信する。表示制御手段は、放送番組の表示中に接続要求が受信されると、接続要求が登録された外部装置から送信されていた場合、受信された画面情報を表示画面に表示させ、接続要求が登録された外部装置からの送信でない場合、放送番組の映像の表示を継続する。
【０００９】
表示制御装置は、第１の表示制御手段と、受付手段と、第２の表示制御手段と、第１の受信手段と、第３の表示制御手段と、第２の受信手段と、第４の表示制御手段と、記憶手段と、を備える。第１の表示制御手段は、放送番組の映像を表示画面に表示させる。受付手段は、外部装置と接続を行うための待機状態に移行させる操作を受け付ける。第２の表示制御手段は、受付手段が移行させる操作を受け付けた場合、自装置を識別する識別情報を表示画面に表示させる。第１の受信手段は、識別情報が表示されている間に、表示された当該識別情報を取得した外部装置から、当該識別情報で識別される自装置宛に送信された第１の接続要求を受信する。第３の表示制御手段は、識別情報が表示されている間に第１の接続要求が受信された場合に、暗証情報を表示画面に表示させる。第２の受信手段は、暗証情報が表示された後、暗証情報が入力処理された外部装置から暗証情報と、画面情報と、外部装置を識別する外部装置識別情報と、を受信する。第４の表示制御手段は、表示された暗証情報を受信した場合に、当該暗証情報を送信した外部装置から受信した画面情報を表示画面に表示させる。記憶手段は、受信した外部装置識別情報を記憶する。第１の受信手段は、さらに、表示画面に放送番組の映像が表示され、且つ識別情報が表示されていない場合、外部装置から第２の接続要求を受信し、第２の受信手段は、さらに、受信された第２の接続要求が、記憶手段に記憶された外部装置識別情報で識別される外部装置から送信されている場合、外部装置から画面情報を受信し、第４の表示制御手段は、さらに、受信された第２の接続要求が記憶手段に記憶された外部装置識別情報で識別される外部装置から送信されている場合、受信した画面情報を表示画面に表示させ、受信された第２の接続要求が記憶手段に記憶された外部装置識別情報で識別される外部装置からの送信でない場合、放送番組の映像の表示を継続する。
【図面の簡単な説明】
【００１０】
【図１】図１は、第１の実施の形態の全体構成を示した図である。
【図２】図２は、テレビジョン放送受信装置のハードウェア構成を示した図である。
【図３】図３は、従来のテレビジョン放送受信装置の画面遷移を示した図である。
【図４】図４は、ＰＣにおける、接続先のテレビジョン放送受信装置を選択する一覧画面の例を示した図である。
【図５】図５は、第１の実施の形態にかかるテレビジョン放送受信装置における、画面遷移を示した図である。
【図６】図６は、第１の実施の形態にかかるテレビジョン放送受信装置における、接続待ち画面５０２の例を示した図である。
【図７】図７は、第１の実施の形態にかかるテレビジョン放送受信装置における、ＰＩＮ  ｃｏｄｅの表示画面の例を示した図である。
【図８】図８は、第１の実施の形態にかかるテレビジョン放送受信装置における、状態遷移を示した図である。
【図９】図９は、第１の実施の形態にかかるテレビジョン放送受信装置における、リモートディスプレイを実現する最初の接続処理の手順を示すフローチャートである。
【図１０】図１０は、第１の実施の形態にかかるテレビジョン放送受信装置における、リモートディスプレイを実現する２回目以降の接続処理の手順を示すフローチャートである。
【発明を実施するための形態】
【００１１】
（第１の実施の形態）
図１は、第１の実施の形態の全体構成を示した図である。図１に示すように、家庭内に、テレビジョン放送受信装置１００と、当該テレビジョン放送受信装置１００を操作するリモートコントローラ１１０と、ＰＣ１５０と、が存在する例とする。なお、図１においては、テレビジョン放送受信装置を１個のみ記載するが、ＰＣ１５０と接続可能なテレビジョン放送受信装置が複数存在しているものとする。
【００１２】
そして、放送局１８０からの放送を受信し、表示を行うテレビジョン放送受信装置１００は、無線通信を介して接続されたＰＣ１５０から受信した表示画面を表示可能な機能を有している。当該機能を用いることで、テレビジョン放送受信装置１００は、ＰＣ１５０及びテレビジョン放送受信装置１００に対する操作に従って、ＴＶ番組を再生している状態から、ＰＣ１５０の画面の表示に切り替えることができる。当該表示の切り替えを行う際に、テレビジョン放送受信装置１００の画面上に表示されたＰＩＮ  ｃｏｄｅを、ＰＣ１５０に入力する必要がある。
【００１３】
本実施の形態にかかるＰＩＮ“Personal  Identification  Number”ｃｏｄｅは、表示する毎にランダムに生成される番号の組み合わせであって、テレビジョン放送受信装置１００に接続するための暗証番号とする。つまり、テレビジョン放送受信装置１００に表示されたＰＩＮ  ｃｏｄｅをＰＣ１５０に入力し、ＰＣ１５０からテレビジョン放送受信装置１００に当該ＰＩＮ  ｃｏｄｅを送信することで、リモートディスプレイを行うための相互間の通信が確立される。
【００１４】
図２は、テレビジョン放送受信装置１００のハードウェア構成を示した図である。図２は、上記したテレビジョン放送受信装置１００の主要な信号処理系を示すブロック図である。
【００１５】
図２に示すように、その入力側に放送波受信用のアンテナ２０１が接続され、また、テレビジョン放送受信装置１００は、外部の表示装置や音声出力装置に直接に、ユーザは、テレビジョン放送受信装置１００に設けられた（図示しない）操作部を介して本装置の操作を行えるほか、赤外線通信によるリモートコントローラ１１０を介した操作が可能である。
【００１６】
テレビジョン放送受信装置１００は、受信したデジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１７】
なお、図２に示すテレビジョン放送受信装置１００は、放送波受信用に複数のチューナ等の受信回路を備える構成としてもよい。
【００１８】
地上波放送受信用のアンテナ２０１で受信した地上デジタルテレビジョン放送信号は、入力端子２０２を介して地上デジタル放送用のチューナ２０３に供給される。
【００１９】
チューナ２０３は、処理部２０５からの制御信号により所望のチャネルの放送信号を選局し、この選局された放送信号を復調器２０４ａに出力する。
【００２０】
復調器２０４ａは、処理部２０５からの制御信号により、チューナ２０３で選局された放送信号を復調し、所望の番組を含んだトランスポートストリームを得て、復号器２０４ｂに出力する。
【００２１】
復号器２０４ｂは、処理部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Packetized  Elementary  Stream）を信号処理部２０６内のＳＴＤバッファへ出力する。また、復号器２０４ｂは、デジタル放送により送られているセクション情報を信号処理部２０６内のセクション部２３２へ出力する。
【００２２】
ここで、信号処理部２０６は、デコーダ２３１とセクション部２３２とを備え、入力された信号の処理を行う。
【００２３】
デコーダ２３１は、テレビ視聴時には、復号器２０４ｂから供給されたデジタルの映像信号及び音声信号に対して、選択的に所定のデジタル信号処理を施し、グラフィック処理部２０７及び音声処理部２０８に出力する。一方、番組録画時には、復号器２０４ｂから供給されたデジタルの映像信号及び音声信号に対して、選択的に所定のデジタル信号処理を施した信号を、処理部２０５を介して記録装置（例えば、ＨＤＤ）２７０に記録する。
【００２４】
また、デコーダ２３１は、録画番組再生時には、処理部２０５を介して記録装置（例えば、ＨＤＤ）２７０から読み出された録画番組のデータに、所定のデジタル信号処理を施し、グラフィック処理部２０７及び音声処理部２０８に出力している。
【００２５】
さらに、デコーダ２３１は、ＰＣ１５０の表示画面表示時には、処理部２０５を介してＰＣ１５０から受信したデータに、所定のデジタル信号処理を施し、グラフィック処理部２０７及び音声処理部２０８に出力している。
【００２６】
処理部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。処理部２０５は、これら入力された情報からＥＰＧ，字幕を表示するため画像生成処理を行い、この生成した画像情報をグラフィック処理部２０７へ出力する。
【００２７】
また、この処理部２０５は、番組録画および番組予約録画を制御する機能を有し、番組予約受付時には、表示装置２１１に電子番組ガイド（ＥＰＧ）情報を表示し、操作部２２０またはリモートコントローラ１１０を介したユーザ入力により予約内容を所定の記憶手段に設定する。そして、設定された時刻に予約番組を録画するようチューナ２０３、復調器２０４ａ、復号器２０４ｂおよび信号処理部２０６を制御する。
【００２８】
セクション部２３２は、復号器２０４ｂから入力されたセクション情報の中から、番組を取得するための各種データや電子番組ガイド（ＥＰＧ）情報，番組属性情報（番組ジャンル等），字幕情報等（サービス情報、ＳＩやＰＳＩ）を処理部２０５へ出力する。
【００２９】
グラフィック処理部２０７は、（１）信号処理部２０６内のデコーダ２３１から供給されるデジタルの映像信号と、（２）ＯＳＤ（On  Screen  Display）信号生成部２０９で生成されるＯＳＤ信号と、（３）データ放送による画像データと、（４）処理部２０５により生成されたＥＰＧ，字幕信号とを合成して映像処理部２１０へ出力する機能を有する。また、字幕放送による字幕を表示するとき、グラフィック処理部２０７は、処理部２０５からの制御による字幕情報に基づき、映像信号上に字幕情報を重畳する処理を行う。
【００３０】
グラフィック処理部２０７から出力されたデジタルの映像信号は、映像処理部２１０に供給される。この映像処理部２１０は、入力されたデジタルの映像信号を、表示装置２１１で表示可能なアナログ映像信号に変換した後、表示装置２１１に出力して映像表示させる。また、出力端子２１２を介して外部の表示装置（図示せず）に、当該表示装置で表示可能なフォーマットの映像信号を出力して映像表示させることもできる。
【００３１】
また、上記音声処理部２０８は、入力されたデジタルの音声信号を、音声出力装置２１３で再生可能なアナログ音声信号に変換した後、音声出力装置２１３に出力して音声を再生させる。また、出力端子２１４を介して外部の音声出力装置（図示せず）に、当該音声出力装置で再生可能なフォーマットの音声信号を出力して音声再生させることもできる。
【００３２】
ここで、このテレビジョン放送受信装置１００は、上記した各種の受信動作を含むその全ての動作を処理部２０５によって統括的に制御されている。この処理部２０５は、ＣＰＵ（Central  Processing  Unit）等を内蔵しており、操作部２２０からの操作情報を受け、または、リモートコントローラ１１０から送出された操作情報を、受光部２２１を介して受信し、その操作内容（例えば、チャネル切換操作など）が反映されるように各部をそれぞれ制御している。
【００３３】
この場合、処理部２０５は、主として、そのＣＰＵが実行する制御プログラムを格納したＲＯＭ（Read  Only  Memory）２０５ａと、当該ＣＰＵに作業エリアを提供するＲＡＭ（Random  Access  Memory）２０５ｂと、各種の設定情報、制御情報及び番組情報等が格納されるフラッシュメモリなどの不揮発性メモリ２０５ｃとを利用している。
【００３４】
また、上記処理部２０５は、Ｗｉ−Ｆｉ通信Ｉ／Ｆ２２２を介して無線ＬＡＮ端子２２３に接続されている。これにより、処理部２０５は、無線ＬＡＮ端子２２３に、無線通信回線を介して接続されたＬＡＮ対応の機器（例えば、例えばＰＣ１５０）と、Ｗｉ−Ｆｉ通信Ｉ／Ｆ２２２と、を介して情報伝送することができる。
【００３５】
また、処理部２０５は、リモート表示部２５０を備えている。図２に示すように、リモート表示部２５０は、受付部２５１と、制御部２５２と、表示制御部２５３と、取得部２５４と、受信制御部２５５と、を備えている。
【００３６】
ところで、従来の、テレビジョン放送中の画面表示から、ＰＣと接続を開始して、リモートディスプレイを行う際の手順について説明する。
【００３７】
図３は、従来のテレビジョン放送受信装置がＰＣとリモート接続し、リモートディスプレイ機能を実現するまでの、テレビジョン放送受信装置の画面遷移を示した図である。
【００３８】
従来技術においては、ＰＣからのリモート接続の開始時に、テレビジョン放送受信装置を操作することなく、接続処理を完了させることができる。
【００３９】
従来技術においては、まず、ＰＣ側で、テレビジョン放送受信装置との間でリモートディスプレイを実現するための、リモートディスプレイアプリケーションを起動させる。
【００４０】
当該リモートディスプレイアプリケーションが起動した場合、リモートディスプレイアプリケーションは、無線通信を介して、リモートディスプレイ機能を備えたテレビジョン放送受信装置をスキャンする。そして、リモートディスプレイアプリケーションは、これらテレビジョン放送受信装置を識別するＩＤのリストを表示する。そして、リモートディスプレイアプリケーションは、リモートディスプレイとして画面情報の転送先のテレビジョン放送受信装置の選択をユーザから受け付けた後、リモート接続するための通信を、選択を受け付けたテレビジョン放送受信装置との間で行う。
【００４１】
当該通信の開始に伴い、選択を受け付けたテレビジョン放送受信装置は、放送波による放送画面３０１の表示から、接続開始画面３０２の表示に移行する。さらに、当該テレビジョン放送受信装置が、ＰＣと初めて接続する場合、ＰＩＮ  ｃｏｄｅの表示画面３０３へと移行する。当該ＰＩＮ  ｃｏｄｅは、ＷＰＳ（Wi-Fi  Protected  Setup)のＰＩＮ  ｃｏｄｅとし、テレビジョン放送受信装置内でランダムに生成された番号の組み合わせとする。
【００４２】
そして、ＰＣ側のリモートディスプレイアプリケーションが、ユーザから当該ＰＩＮ  ｃｏｄｅの入力操作を受け付けた場合に、当該ＰＩＮ  ｃｏｄｅを用いた接続要求を、テレビジョン放送受信装置に対して行う。
【００４３】
そして、テレビジョン放送受信装置は、ＰＩＮ  ｃｏｄｅを用いた通信接続を受け付けた場合に、ＰＣのリモートディスプレイとして、ＰＣに表示された画面３０４と同一の画面を表示する。
【００４４】
そして、１度接続されたＰＣの無線を介したリモート接続に関する情報は、テレビジョン放送受信装置の不揮発メモリに記憶しておく。これにより、次回以降ＰＩＮ  ｃｏｄｅを入力することなく接続することができる。
【００４５】
これにより、当該ＰＣからリモート接続が以前行われていた場合に、接続開始画面３０２から、ＰＩＮ  ｃｏｄｅの表示画面３０３に遷移することなく、ＰＣに表示されていた画面と同一の画面３０４の表示に遷移する。
【００４６】
このような、従来手順では、ユーザが、ＰＣの接続先のテレビジョン放送受信装置を識別するＩＤを事前に確認しておく必要がある。もし、ユーザが当該ＩＤを事前に確認せずに接続操作を行おうとした場合、リモートディスプレイに対応する機器が複数存在すると、一覧から選択する際に、誤った機器を選択する可能性が高くなる。
【００４７】
つまり、ＰＣと接続する機能を有するテレビジョン放送受信装置が、自宅のテレビジョン放送受信装置以外（例えば、無線が到達するエリア内の他の家庭）に存在する場合、ＰＣからは、接続可能なテレビジョン放送受信装置が複数認識される。その際に、誤った方を選択すると、他の家庭のテレビジョン放送受信装置が、ＰＣと接続するための画面（例えばＰＩＮ  ｃｏｄｅの表示画面)に遷移してしまう。
【００４８】
このように、図３で示した従来のテレビジョン放送受信装置では、放送中の表示画面からＰＩＮ  ｃｏｄｅの表示画面に自動的に遷移するため、仮に他の家庭の機器を誤って選択した場合、他の家庭の視聴を妨げる可能性がある。
【００４９】
このような問題に対し、テレビジョン放送受信装置に対して所定の操作を行い、待機状態に移行した場合に限り、ＰＣ１５０と接続するための画面に移行できるようにする方式も考えられる。しかしながら、当該方式では、ＰＣ１５０と接続するために毎回（２回目以降であっても）所定の操作が必要になる。このように、接続する度に、接続待ちに移行するために所定の操作が必要となると、ユーザの操作負担が大きくなり、利便性が低減する。
【００５０】
そこで、本実施の形態では、ＰＣ１５０側にて誤った操作を行った際でも、意図しないテレビジョン放送受信装置の画面に遷移しないよう制御すると共に、ユーザの操作負担の軽減を図ることとする。
【００５１】
本実施の形態にかかるＰＣ１５０は、リモートディスプレイアプリケーションが格納され、リモートディスプレイアプリケーションを起動することで、接続可能なテレビジョン放送受信装置の選択が可能となる。
【００５２】
図４は、ＰＣ１５０のリモートディスプレイアプリケーションから、接続先のテレビジョン放送受信装置を選択する一覧画面の例を示した図である。図４に示すように、本実施の形態にかかる一覧画面では、テレビジョン放送受信装置を識別するためのＩＤと、メーカ名と、テレビジョン放送受信装置の機種と、が一覧表示される。テレビジョン放送受信装置を識別するためのＩＤは、テレビジョン放送受信装置を識別するためのＩＤであり、テレビジョン放送受信装置が接続待ち状態に移行した場合に、表示されるＩＤとする。つまり、ユーザは、テレビジョン放送受信装置が接続待ち状態に移行した場合に表示されるＩＤを視認したあと、ＰＣ１５０に一覧表示されたＩＤを選択することで、所望のテレビジョン放送受信装置を接続先として選択できる。
【００５３】
図２に戻り、リモートディスプレイを実現するための構成である、テレビジョン放送受信装置１００のリモート表示部２５０の各構成について説明する。
【００５４】
受付部２５１は、ＰＣ１５０と接続を行うための待機状態に移行させる待機要求の操作を受け付ける。当該待機要求の操作は、例えばリモートコントローラ１１０の所定のボタンの押下や、テレビジョン放送受信装置１００が備えたボタンの押下などとする。
【００５５】
制御部２５２は、リモートディスプレイを実現するための様々な制御を行う。例えば、受付部２５１が待機要求の操作を受け付けた場合に、テレビジョン放送受信装置１００を接続待ち状態に移行させる制御を行う。
【００５６】
表示制御部２５３は、リモートディスプレイを実現するために、様々な情報を、テレビジョン放送受信装置１００の表示装置２１１に表示する。例えば、表示制御部２５３は、受付部２５１が待機要求の操作を受け付け、制御部２５２が接続待ち状態に移行させた際に、テレビジョン放送受信装置１００を識別するＩＤを、表示装置２１１に表示する。ユーザが、当該表示を視認することで、ＰＣ１５０のリモートディスプレイアプリケーション上で接続先を示すＩＤを選択できる。
【００５７】
図５は、本実施の形態にかかるテレビジョン放送受信装置１００の画面遷移を示した図である。図５に示すように、テレビジョン放送受信装置１００が、放送波の番組を表示する放送画面５０１を表示している際に、受付部２５１が新規接続操作を受け付けた場合に、接続待ち状態に移行し、表示制御部２５３が、接続待ち画面５０２を表示する。
【００５８】
図６は、接続待ち画面５０２の例を示した図である。図６に示すように、接続待ち画面５０２においては、テレビジョン放送受信装置１００を識別するＩＤの他に、テレビジョン放送受信装置１００のメーカ名及び機種が表示される。これにより、誤ったＩＤの選択を抑止できる。
【００５９】
図２に戻り、制御部２５２は、受付部２５１が待機要求の操作を受け付けて接続待ち状態に移行した後、所定の時間が経過（タイムアウト）した場合に、当該接続待ち状態を解除させる制御を行う。なお、この所定の時間は、ユーザの利便性を考慮して実施の態様毎に適切な時間が設定されるものとする。これにより、表示制御部２５３は、接続待ち画面５０２から、放送画面５０１に移行する。
【００６０】
受信制御部２５５は、ＰＣ１５０から、リモートディスプレイを実現するために、様々な情報を受信する。例えば、受信制御部２５５は、ＰＣ１５０から、表示されたＩＤで識別されるテレビジョン放送受信装置１００に対する接続要求を受信する。
【００６１】
そして、テレビジョン放送受信装置１００の受信制御部２５５が、接続待ち状態中に、ＰＣ１５０からＩＤで特定される自装置に対する接続要求を受信した場合に、表示制御部２５３は、図５の接続開始画面５０３を表示する。当該接続開始画面を表示した後、表示制御部２５３は、ＰＩＮ  ｃｏｄｅの表示画面５０４に表示する。ＰＩＮ  ｃｏｄｅは、テレビジョン放送受信装置１００に接続する際のセキュリティを保持するためにランダムに生成された暗証番号とする。
【００６２】
図７は、ＰＩＮ  ｃｏｄｅの表示画面５０４の例を示した図である。図７に示すように、表示画面５０４においては、テレビジョン放送受信装置１００と接続するためのＰＩＮ  ｃｏｄｅが表示される。
【００６３】
そして、ユーザは当該ＰＩＮ  ｃｏｄｅを、ＰＣ１５０のリモートディスプレイアプリケーションに対して入力操作する。その後、ＰＣ１５０は、テレビジョン放送受信装置１００に対して、ＰＩＮ  ｃｏｄｅを送信する。
【００６４】
これにより、受信制御部２５５は、ＰＣ１５０から、ＰＩＮ  ｃｏｄｅを受信する。
【００６５】
そして、受信制御部２５５がＰＩＮ  ｃｏｄｅを受信した場合に、ＰＣ１５０とテレビジョン放送受信装置１００との間でリモートディスプレイを行うための通信が確立し、表示制御部２５３は、ＰＣ１５０から送信されるデータに従って、当該ＰＣ１５０に表示された画面と同一の画面５０５を、表示装置２１１に表示する。
【００６６】
図２に戻り、取得部２５４は、受信制御部２５５がＰＩＮ  ｃｏｄｅを受信してＰＣ１５０と通信を開始した場合に、ＰＣ１５０から、ＰＣ１５０を識別する識別情報を取得する。そして、取得部２５４は、取得した識別情報を、不揮発性メモリ２０５ｃに記憶する。ＰＣ１５０を識別する識別情報は、ＰＣ１５０を識別可能な情報であればよく、例えばＭＡＣアドレスなどが含まれていても良い。
【００６７】
これにより、それ以降、不揮発性メモリ２０５ｃに記憶された識別情報で識別されるＰＣ１５０から通信要求を受け付けた場合、制御部２５２は、テレビジョン放送受信装置１００が接続状態に移行していなくとも、ＰＣ１５０とテレビジョン放送受信装置１００との間の通信を確立させる。その後、制御部２５２は、ＰＣ１５０から受信する画面情報を、表示装置２１１に表示させるよう表示制御部２５３を制御する。
【００６８】
このように、本実施の形態のテレビジョン放送受信装置１００では、リモートディスプレイの接続元となる新規ＰＣを登録するときには、リモートコントローラ１１０に対する操作により、制御部２５２が、新規ＰＣを登録するための接続待ち状態へ遷移させる。
【００６９】
この接続待ち状態以外の状態では、制御部２５２は、新規ＰＣからの接続要求による、画面遷移が行われないよう制御する。
【００７０】
そして、新規ＰＣの登録可能な接続待ち状態は、ある一定時間が経過すると、制御部２５２は、当該接続待ち状態をタイムアウトさせ、新規ＰＣの登録が不可能な状態（例えば、通常の放送画面）に遷移させる。次に、このような状態遷移について詳細に説明する。
【００７１】
図８は、本実施の形態にかかるテレビジョン放送受信装置１００の状態遷移を示した図である。図８に示すように、表示制御部２５３が、接続開始待ち状態として、通常の放送画面を表示している状態８０１とする。なお、テレビジョン放送受信装置１００において、他の状態でエラーやタイムアウトが生じた場合には、この通常の放送画面を表示している状態８０１に遷移するものとする。
【００７２】
そして、通常の放送画面を表示している状態８０１において、ＰＣで、リモートディスプレイとして機能させるための接続開始操作が行われた場合に、当該ＰＣが、テレビジョン放送受信装置１００に対して接続要求を行う。この場合、テレビジョン放送受信装置１００は、接続要求元のＰＣが既に接続されたことがあるか否かを、不揮発性メモリ２０５ｃに格納された識別情報を用いて確認する（状態８０６）。そして、接続要求を行ったＰＣが、今までに接続したことのない未知のＰＣの場合、接続に関する処理を行わず、制御部２５２は、通常の放送画面を表示している状態８０１を継続させる。
【００７３】
一方、接続要求を行ったＰＣが、今までに接続したことのある既知のＰＣの場合、当該既知のＰＣとの間の通信を開始し、表示制御部２５３に接続開始の表示を行わせる状態８０７に移行する。そして、ＰＣとの間の通信が確立した後、表示制御部２５３は、当該既知のＰＣが表示していている画面と同一の画面を表示する状態８０８に移行する。
【００７４】
また、通常の放送画面を表示している状態８０１の時に、リモートコントローラ１１０からＰＣを新規接続するための入力操作を受け付けた場合、制御部２５２は、新規ＰＣの接続開始を待つため接続待ち状態８０２に移行し、表示制御部２５３は、図６に示すように、接続待ち状態である旨の表示と、テレビジョン放送受信装置１００を識別するためのＩＤと、を表示する。
【００７５】
そして、ＰＣにおいて、テレビジョン放送受信装置１００との接続開始の入力操作を受け付けた場合、ＰＣからテレビジョン放送受信装置１００に対して接続要求が送信される。
【００７６】
テレビジョン放送受信装置１００が、Ｗｉ-Ｆｉ通信Ｉ／Ｆ２２２を介して、送信要求を受信した場合、ＰＣとの間の接続を開始し、表示制御部２５３は、接続が開始された旨を表示する（状態８０３）。その後、制御部２５２は、当該接続要求を行ったＰＣが既に接続したことがあるＰＣであるか否かを、不揮発性メモリ２０５ｃに格納された識別情報を用いて確認する（状態８０４）。すでに接続したことがあるＰＣと判定した場合、ＰＣとの間の通信が確立した後、表示制御部２５３は、当該既知のＰＣが表示している画面と同一の画面を表示する状態８０８に移行する。
【００７７】
一方、制御部２５２が、まだ接続をしたことのない未知のＰＣであることを確認した場合、表示制御部２５３がＰＩＮ  ｃｏｄｅの表示画面を表示する状態８０５に移行する。そして、ＰＣ１５０に対して、当該ＰＩＮ  ｃｏｄｅの入力操作が行われた場合、ＰＣ１５０から、テレビジョン放送受信装置１００に対してＰＩＮ  ｃｏｄｅの送信が行われる。
【００７８】
そして、テレビジョン放送受信装置１００が当該ＰＩＮ  ｃｏｄｅを受信した場合、制御部２５２は、ＰＣとの間で通信を確立した後、表示制御部２５３は、当該既知のＰＣが表示している画面と同一の画面を表示する状態８０８に移行する。
【００７９】
次に、本実施の形態にかかるテレビジョン放送受信装置１００における、ＰＣ（例えばＰＣ１５０）のリモートディスプレイを実現するための最初の接続処理について説明する。図９は、本実施の形態にかかるテレビジョン放送受信装置１００における上述した処理の手順を示すフローチャートである。
【００８０】
まず、表示制御部２５３が、放送中の番組を、放送画面として表示制御する（ステップＳ９０１）。
【００８１】
次に、受付部２５１が、リモートコントローラ１１０から、接続待ちに移行する操作を受け付けたかを検出する（ステップＳ９０２）。接続待ちに移行する操作を受け付けなかった場合（ステップＳ９０２：Ｎｏ）、ステップＳ９０１に戻り、表示制御部２５３が、継続して、放送画面の表示制御を行う。
【００８２】
一方、接続待ちに移行する操作を受け付けた場合（ステップＳ９０２：Ｙｅｓ）、制御部２５２が、接続待ち状態に移行させる（ステップＳ９０３）。その後、表示制御部２５３が、接続待ち画面において、テレビジョン放送受信装置１００を識別するＩＤを表示制御する（ステップＳ９０４）。
【００８３】
その後、受信制御部２５５が、ＰＣ１５０からの接続開始の要求を受け付けたか否かを判定する（ステップＳ９０５）。接続開始の要求を受け付けなかった場合（ステップＳ９０５：Ｎｏ）、制御部２５２が、所定の時間を経過したか否かを判定する（ステップＳ９０６）。所定の時間を経過していないと判定した場合（ステップＳ９０６：Ｎｏ）、ステップＳ９０４に戻り、表示制御部２５３が、継続してＩＤの表示制御を行う。一方、所定の時間を経過したと判定した場合（ステップＳ９０６：Ｙｅｓ）、制御部２５２は、接続待ち状態を解除して（ステップＳ９０７）、再び表示制御部２５３が、放送中の番組を表示制御する（ステップＳ９０１）。
【００８４】
また、ステップＳ９０５において、受信制御部２５５が、ＰＣ１５０からの接続開始の要求を受け付けた場合（ステップＳ９０５：Ｙｅｓ）、表示制御部２５３が、接続開始した旨を表示する（ステップＳ９０８）。
【００８５】
その後、制御部２５２が、接続開始の要求を行ったＰＣ１５０の識別情報が、不揮発性メモリ２０５ｃに記憶済みか否かを判定する（ステップＳ９０９）。不揮発性メモリ２０５ｃに記憶済みと判定した場合（ステップＳ９０９：Ｙｅｓ）、ＰＣ１５０との間の通信を確立した後、表示制御部２５３が、ＰＣ１５０の表示画面と同一の画面を表示制御する（ステップＳ９１３）。
【００８６】
一方、不揮発性メモリ２０５ｃに記憶済みではないと判定した場合（ステップＳ９０９：Ｎｏ）、新規のＰＣ１５０からの接続要求として、表示制御部２５３が、ＰＩＮ  ｃｏｄｅを画面上に表示制御する（ステップＳ９１０）。そして、受信制御部２５５は、ＰＣ１５０からＰＩＮ  ｃｏｄｅを受信したか否かを判定する（ステップＳ９１１）。受信がない場合（ステップＳ９１１：Ｎｏ）には、表示制御部２５３が、継続してＰＩＮ  ｃｏｄｅの表示制御を行う（ステップＳ９１０）。
【００８７】
一方、受信制御部２５５が、ＰＩＮ  ｃｏｄｅを受信したと判定した場合（ステップＳ９１１：Ｙｅｓ）、制御部２５２は、ＰＩＮ  ｃｏｄｅを送信してきたＰＣ１５０を識別する情報を、不揮発性メモリ２０５ｃに記憶させる（ステップＳ９１２）。
【００８８】
それと共に、ＰＣ１５０との間で通信が確立した後、表示制御部２５３は、ＰＣ１５０の表示画面と同一の画面を表示制御する（ステップＳ９１３）。
【００８９】
上述した処理手順により、テレビジョン放送受信装置１００においては、新規にＰＣ１５０と接続する場合には、接続待ち状態に移行しておく必要があるため、意図しないテレビジョン放送受信装置の画面を切り替えることを抑止できる。
【００９０】
次に、本実施の形態にかかるテレビジョン放送受信装置１００における、ＰＣ（例えばＰＣ１５０）のリモートディスプレイを実現するための２回目以降の接続処理について説明する。図１０は、本実施の形態にかかるテレビジョン放送受信装置１００における上述した処理の手順を示すフローチャートである。
【００９１】
まず、表示制御部２５３が、放送中の番組を、放送画面として表示制御する（ステップＳ１００１）。
【００９２】
その際に、受信制御部２５５が、ＰＣ１５０からの接続開始の要求を受け付けたか否かを判定する（ステップＳ１００２）。接続開始の要求を受け付けなかった場合（ステップＳ１００２：Ｎｏ）、ステップＳ１００１に戻り、表示制御部２５３が、継続して放送中の番組の表示制御を行う。
【００９３】
一方、受信制御部２５５が、ＰＣ１５０からの接続開始の要求を受け付けた場合（ステップＳ１００２：Ｙｅｓ）、制御部２５２が、接続開始の要求を行ったＰＣ１５０の識別情報が、不揮発性メモリ２０５ｃに記憶済みか否かを判定する（ステップＳ１００３）。不揮発性メモリ２０５ｃに記憶済みではないと判定した場合（ステップＳ１００３：Ｎｏ）、ステップＳ１００１に戻り、表示制御部２５３が、継続して放送中の番組の表示制御を行う。
【００９４】
一方、制御部２５２が、不揮発性メモリ２０５ｃに記憶済みと判定した場合（ステップＳ１００３：Ｙｅｓ）、ＰＣ１５０との間の通信を確立した後、表示制御部２５３が、ＰＣ１５０の表示画面と同一の画面を表示制御する（ステップＳ１００４）。
【００９５】
上述した処理手順により、テレビジョン放送受信装置１００においては、２回目以降にＰＣ１５０と接続する場合には、接続待ち状態に移行する必要がないため、ユーザの操作負担を軽減できる。
【００９６】
また、テレビジョン放送受信装置１００においては、リモートコントローラ１１０で接続待ちにするための操作を受け付けていない場合、新規ＰＣからのリモートディスプレイのための接続開始の要求は受け付けない。仮に、当該要求を受信した場合にはエラーとして処理する。また、テレビジョン放送受信装置１００で当該エラーを不揮発性メモリ２０５ｃに記憶しても良い。
【００９７】
また、本実施の形態にかかるテレビジョン放送受信装置１００においては、リモートコントローラ１１０から接続待ちにするための操作を受け付けたことで、接続待ち状態に移行した後、ある一定時間、ＰＣからの接続要求がない場合、タイムアウト処理として、元の状態（例えば放送中の番組の表示画面）へ遷移することとした。このようなタイムアウトの遷移を行うことで、誤った接続要求による意図しない画面遷移が行われる可能性を低減できる。
【００９８】
本実施の形態は、テレビジョン放送受信装置１００と接続する外部装置が、ＰＣ１５０の場合について説明した。しかしながら、外部装置をＰＣ１５０に制限するものではなく、例えば、携帯電話端末などのモバイル機器であっても良い。
【００９９】
（変形例）
第１の実施の形態では、テレビジョン放送受信装置１００でリモートディスプレイを実現する例について説明した。しかしながら、リモートディスプレイを実現する機器を、テレビジョン放送受信装置に制限するものではなく、ディスプレイに接続するセットトップボックスであっても良い。そこで、変形例ではセットトップボックスの例について説明する。
【０１００】
変形例にかかるセットトップボックスは、図２に示す例において、表示装置２１１を除き、第１の実施の形態のテレビジョン放送受信装置１００とほぼ同様の構成を備えているものとする。当該セットトップボックスは、ディスプレイと接続するためのインタフェースを、さらに備えている。このインタフェースとしては、例えばＨＤＭＩ（登録商標：High-Definition  Multimedia  Interface）がある。そして、セットトップボックスは、当該インタフェースを介して、外部のディスプレイと接続し、当該ディスプレイに対して地上波デジタル放送の番組の画面などをディスプレイに表示する制御を行う。
【０１０１】
そして、当該セットトップボックスは、無線ＬＡＮ端子及びＷｉ−Ｆｉ通信Ｉ／Ｆを用いることで、無線通信回線を介して接続されたＰＣと情報を送受信することができる。
【０１０２】
そして、セットトップボックスは、ＰＣからの接続要求を受け付け、ディスプレイに対してＰＣの画面と同一の画面を表示制御することができる。表示制御を行うまでの制御については、第１の実施の形態と同様として説明を省略する。
【０１０３】
なお、本変形例では、セットトップボックスの例について説明したが、ディスプレイなどの表示装置と外部インタフェースを介して接続する表示制御装置であればよい。
【０１０４】
以上説明したとおり、第１の実施の形態及び変形例によれば、ＰＣの新規接続時には、リモートコントローラ１１０などの操作手段から、接続待ちにする操作を予め受け付けた場合に限り、新規のＰＣからの接続要求を受け付けることとした。これにより、誤った装置を接続先として選択された場合でも、当該装置における画面遷移を抑止できる。また、２回目以降については接続待ちにする操作を必要としないため、操作負担を軽減することができる。つまり、第１の実施の形態及び変形例によれば、誤った装置における画面遷移の抑止による安全性の確保と、操作負担の軽減と、の両立を図ることができる。
【０１０５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１０６】
１００…テレビジョン放送受信装置、１１０…リモートコントローラ、２５０…リモート表示部、２５１…受付部、２５２…制御部、２５３…表示制御部、２５４…取得部、２５５…受信制御部
【図１】
2014003614.tif 000003
【図２】
2014003614.tif 000004
【図３】
2014003614.tif 000005
【図４】
2014003614.tif 000006
【図５】
2014003614.tif 000007
【図６】
2014003614.tif 000008
【図７】
2014003614.tif 000009
【図８】
2014003614.tif 000010
【図９】
2014003614.tif 000011
【図１０】
2014003614.tif 000012